(57)【特許請求の範囲】
【請求項１】
送受話器を有する電話通信機器において、
通信網（７）とのインタフェースをとるネットワーク部（２）と、
送受話器（５）からの入力を監視して特定の音響を検出する検出部（３）と、
検出部（３）からの出力に基づいてネットワーク部（２）に対してフック制御を行う制御部（４）とを設け、
検出部（３）が送受話器（５）を置くときの衝撃音を検出することによるフック検出機能を備えたことを特徴とする電話通信機器。
【請求項２】
送受話器を有する電話通信機器において、
通信網（７）とのインタフェースをとるネットワーク部（２）と、
送受話器（５）からの入力を監視して特定の音響を検出する検出部（３）と、
検出部（３）からの出力に基づいてネットワーク部（２）に対してフック制御を行う制御部（４）とを設け、
検出部（３）は未使用のまま机上に置かれたときに送受話器（５）から生じさせるハウリングを検出することによるフック検出機能を備えたことを特徴とする電話通信機器。
【請求項３】
送受話器を有する電話通信機器において、
回線の制御を行う回線制御回路（１２）と
送受話器（５）からの入力を監視して送受話器置台（１７）が送出する特定周波数を検出するトーンディテクタ（１３）と、
トーンディテクタ（１３）からの出力に基づいて回線制御回路（１２）に対してフック制御を行うとともにパソコン本体（１０）とのアクセスを行うＭＰＵ（１４）とを設け、
トーンディテクタ（１３）は送受話器置台（１７）からの特定周波数を送受話器（５）が受信していることを検出することによるフック検出機能を備えたことを特徴とする電話通信機器。
【発明の詳細な説明】
【０００１】
【発明の属する技術分野】
本発明は、送受話器を有する電話通信機器に関する。
【０００２】
【従来の技術】
従来の技術を図３に基づいて説明する。図３は従来例における電話通信機器の概要ブロック図である。図において、電話通信機器本体２０は通信網７とのインタフェースをとるネットワーク部２，検出部３からの出力に基づいてネットワーク部２を制御する制御部４，送受話器５により切換えられるフックスイッチ２１等から構成されている。
通話中は送受話器５が取り上げられているのでフックスイッチ２１によりオフフックであり、終話時には送受話器５が下ろされてフックスイッチ２１によりオンフックとなる。このように、フック検出は送受話器５からの音響信号ではなく、フックスイッチ２１で行っている。
【０００３】
【発明が解決しようとする課題】
しかし従来は、パソコン等では送受話器を音声出力／入力に接続しただけでフックスイッチが無いので、終話動作で送受話器を置くだけではなく画面上で操作しなければならないという課題があった。
【０００４】
本発明はこのような点に鑑みてなされたものであり、フックスイッチを設けることができない電話通信機器においても送受話器を置くことにより終話動作を完結させることのできる電話通信機器を提供することを目的とする。
【０００５】
【課題を解決するための手段】
送受話器からの入力を、ＤＳＰ（digital signal processor）やトーンディテクタ等で監視する機能を持たせ、送受話器の状態を解析する。送受話器からの入力から送受話器の状態を解析することにより、フックスイッチの代わりにオンフック／オフフックを検出する。
【０００６】
【発明の実施の形態】
上記課題を解決するために本発明の電話通信機器は、送受話器を有する電話通信機器において、通信網７とのインタフェースをとるネットワーク部２と、送受話器５からの入力を監視して特定の音響を検出する検出部３と、検出部３からの出力に基づいてネットワーク部２に対してフック制御を行う制御部４とを設け、検出部３が送受話器５を置くときの衝撃音を検出することによるフック検出機能を備えたことに特徴を有している。
【０００７】
また、本発明の電話通信機器は、送受話器を有する電話通信機器において、通信網７とのインタフェースをとるネットワーク部２と、送受話器５からの入力を監視して特定の音響を検出する検出部３と、検出部３からの出力に基づいてネットワーク部２に対してフック制御を行う制御部４とを設け、検出部３は未使用のまま机上に置かれたときに送受話器５から生じさせるハウリングを検出することによるフック検出機能を備えたことに特徴を有している。
【０００９】
また、本発明の電話通信機器は、送受話器を有する電話通信機器において、回線の制御を行う回線制御回路１２と、送受話器５からの入力を監視して送受話器置台１７が送出する特定周波数を検出するトーンディテクタ１３と、トーンディテクタ１３からの出力に基づいて回線制御回路１２に対してフック制御を行うと共にパソコン本体１０とのアクセスを行うＭＰＵ１４とを設け、トーンディテクタ１３は送受話器置台１７からの特定周波数を送受話器５が受信していることを検出することによるフック検出機能を備えたことに特徴を有している。
【００１０】
【実施例】
以下、本発明の一実施例を図面に基づいて説明する。図１は本発明の実施例における電話通信機器の概要ブロック図である。図において、電話通信機器本体１はネットワーク部２，送受話器５からの入力を監視して特定の音響を検出する検出部３，制御部４等から構成されている。検出部３はＤＳＰやトーンディテクタ等で構成される。なお、図３と同一符号を付したものはそれぞれ同一の要素を示している。
【００１１】
ネットワーク部２を介して送受話器５からの入力を監視して特定の音響を検出する検出部３を設けることによってオンフック／オフフックを検出する。オンフック／オフフックのフック検出により制御部４はネットワーク部２に対してフック制御を行う。
例１として、送受話器５を置いたときの衝撃音を検出部３で検出して終話時のオンフックとし、制御部４はネットワーク部２に対してフック制御を行う。ネットワーク部２は通信網７とのインタフェースをとる。
【００１２】
例２として、送受話器５が未使用のままで机上等に置かれたような場合には、ハウリングするように設計しておき、ハウリングの有無によりオンフック／オフフックを検出し、制御部４はネットワーク部２に対してフック制御を行う。
【００１３】
例３として、図２に本発明の他の実施例における電話通信機器の概要ブロック図を示すが、これは、パソコンに回線と送受話器を接続する拡張ボードを挿入した例である。図において、１０はパソコン本体、１１は電話通信機器としての拡張ボードのビジネスホーンボード、１２は回線の制御を行う回線制御回路、１３は特定の音響を検出するトーンディテクタ、１４はトーンディテクタ１３からの出力に基づいて回線制御回路１２に対してフック制御を行い、かつパソコン本体１０とのアクセスを行うＭＰＵ（マイクロプロセッサ）、１５、１６は増幅器、１７は送受話器５の置台であり、音声帯域外の特定の周波数を出力するスピーカ１８が設けられている。
【００１４】
送受話器５が置台１７にあるかどうかの状態（オンフックかオフフックか）を、特定の周波数が検出できるかどうかによって区別する。送受話器５の置台１７から出る特定の信号等を監視することにより、フックの状態を検出する。ＭＰＵ１４はフック検出を基に回線制御回路１２を制御する。回線制御回路１２は通信網７とのインタフェースをとる。
【００１５】
送受話器５を接続する拡張ボード１１には送受話器置台１７のスピーカ１８から送出される特定周波数を検出するトーンディテクタ１３が設けられている。拡張ボード１１は、スピーカ１８からの特定周波数を検出した場合はオンフックを、検出しなくなった場合はオフフックを通信アプリケーションに通知する。
【００１６】
通信アプリケーションは拡張ボード１１からのオンフック／オフフックのイべントを受け取り、イベントに対応した処理を行う。オンフックであれば終話、オフフックであれば発信等の動作を行う。
【００１７】
送受話器５が置台１７に在るか無いかが、トーンディテクタ１３により検出できる。拡張ボード１１のＭＰＵ１４は、トーンディテクタ１３の信号よりオンフック／オフフックを認識し、バスを通してオンフック／オフフックの情報をアプリケーションに通知する
【００１８】
このように、オンフック／オフフックを区別できる音を置台１７のスピーカ１８から送出される特定の周波数とし、その音を検出する装置（トーンディテクタ１３）を設けることにより、特別な線を用いることなくオンフック／オフフックを検出することができる。オンフック／オフフックを自動的に検出できるため、従来行っていた画面上のオンフック／オフフックのクリックを自動的に行い、キーボードやマウスでのオンフック／オフフックの操作を不要としている。
【００１９】
【発明の効果】
以上説明したように、本発明の電話通信機器は、通信網７とのインタフェースをとるネットワーク部２と、送受話器５からの入力を監視して特定の音響を検出する検出部３と、検出部３からの出力に基づいてネットワーク部２に対してフック制御を行う制御部４とを設け、検出部３が送受話器５からの特定の音響を検出することによるフック検出機能を備えたので、
また、本発明の電話通信機器は、前記検出部３が送受話器５を置くときの衝撃音を検出することによるフック検出機能を備えたので、
さらに、本発明の電話通信機器は、前記検出部３が机上に置いた未使用時状態の送受話器５からのハウリングを検出することによるフック検出機能を備えたので、
また、本発明の電話通信機器は、回線の制御を行う回線制御回路１２と、送受話器５からの入力を監視して特定の音響を検出するトーンディテクタ１３と、トーンディテクタ１３からの出力に基づいて回線制御回路１２に対してフック制御を行うと共にパソコン本体１０とのアクセスを行うＭＰＵ１４とを設け、トーンディテクタ１３が置台１７からの特定の信号音を送受話器５が受信していることを検出することによるフック検出機能を備えたので、
パソコン等に送受話器を接続した電話通信機器においても、送受話器を置くことにより終話することができ、画面上での終話操作が不要になる。また、このことにより終話忘れがなくなる。
【図面の簡単な説明】
【図１】本発明の実施例における電話通信機器の概要ブロック図である。
【図２】本発明の他の実施例における電話通信機器の概要ブロック図である。
【図３】従来例における電話通信機器の概要ブロック図である。
【符号の説明】
１  電話通信機器本体
２  ネットワーク部
３  検出部
４  制御部
５  送受話器
７  通信網
１０  パソコン本体
１１  拡張ボード
１２  回線制御回路
１３  トーンディテクタ
１４  ＭＰＵ
１５，１６  増幅器
１７  置台
１８  スピーカ
２０  電話通信機器本体
２１  フックスイッチ
【図１】
0004118368.tif 000002
【図２】
0004118368.tif 000003
【図３】
0004118368.tif 000004